(57)【要約】      （修正有）【課題】太陽光発電装置の組を含む展開可能構造物、そのような展開可能構造物を展開するシステム、およびそのようなシステムを含む人工衛星を提供する。【解決手段】展開可能構造物は、分離マスト１０と、可撓性太陽光発電装置をそれぞれ支持する２つの格納ローラ１１，１２とを含み、２つの格納ローラはマストに関節接合される。マストは、少なくとも１つの長手方向ロッド１０１と、長手方向ロッドに関して対称である２つの反対の方向に斜めに傾けられた２つの横方向アーム１０３，１０４とを含み、各横方向アームは、中空ガイド１０５，１０６を設けられた端部を含む。各格納ローラは、対応する横方向アームの中空ガイドの内側でそれぞれ関節接合される枢軸１３，１４を形成する曲げ端部を含む長手方向軸５４，５７を有し、各格納ローラの枢軸は、対応する格納ローラの長手方向軸と異なる回転軸を有する。【選択図】図１
2017100714.tif 000002
【特許請求の範囲】
【請求項１】
太陽光発電装置の組と、分離マストと、可撓性太陽光発電装置をそれぞれ支持する２つの格納ローラとを含む展開可能構造物であって、前記２つの格納ローラが前記マストに関節接合され、前記マストが、基部と称される第１端部と、前記基部の反対側の第２端部とを有し、かつ前記第１端部と前記第２端部との間に配置された少なくとも１つの長手方向ロッドを含み、前記マストが、前記第２端部に取り付けられた２つの横方向アームをさらに含み、前記２つの横方向アームが、前記長手方向ロッドに関して対称である２つの反対の方向に斜めに傾けられ、各横方向アームが、中空ガイドを設けられた端部を含み、各格納ローラが、対応する横方向アームの前記中空ガイドの内側でそれぞれ関節接合される枢軸を形成する曲げ端部を含む長手方向軸を有し、各格納ローラの前記枢軸が、前記対応する格納ローラの前記長手方向軸と異なる回転軸を有する、展開可能構造物。
【請求項２】
前記マストの前記２つの横方向アームが前記長手方向ロッドに固定される、請求項１に記載の展開可能構造物。
【請求項３】
前記長手方向ロッドが、それぞれ第１ロッドおよび第２ロッドと称される２つの別個の長手方向部分を含み、前記第２ロッドが前記第１ロッドと平行であり、かつ前記マストの前記第２端部に配置された回転軸上で関節接合され、前記回転軸が前記第１ロッドおよび前記第２ロッドに対して直角であり、前記２つの横方向アームが前記第２ロッドに固定される、請求項１に記載の展開可能構造物。
【請求項４】
各可撓性太陽光発電装置が、各固定剛性定着点に確実に取り付けられた終端部を含み、前記展開可能構造物が、前記剛性定着点に固定された少なくとも１つの剛性フラップをさらに含み、可撓性太陽光発電装置の延長部分において、太陽電池を含む前記剛性フラップが永久的に太陽の方に向けられる、請求項２に記載の展開可能構造物。
【請求項５】
格納位置において、各可撓性太陽光発電装置が前記格納ローラに部分的に巻き付けられ、および太陽の方に永久的に向けられた太陽電池が設けられた端部部分を含む、請求項３に記載の展開可能構造物。
【請求項６】
前記マストの各横方向アームの前記中空ガイドが、前記マストに対して、および前記格納ローラの前記各長手方向軸に対して４５°で方向付けられる、請求項４に記載の展開可能構造物。
【請求項７】
前記マストの各横方向アームの前記中空ガイドが、前記マストに対して、および前記格納ローラの前記各長手方向軸に対して４５°で方向付けられる、請求項５に記載の展開可能構造物。
【請求項８】
請求項１〜７のいずれか一項に記載の展開可能構造物を含む展開システムであって、前記マストの前記基部に取り付けられた回転子を含む単一モータであって、前記回転子が前記マストの前記長手方向ロッドに対して直角の回転軸を有する、単一モータと、前記マストの前記基部に配置され、かつ前記回転子の前記回転軸と整列された回転軸を有する第１プーリと、各格納ローラの前記曲げ端部にそれぞれ固定されている、前記格納ローラを回転するように駆動する２つのプーリと、前記マストの前記横方向アームに固定された戻りプーリと、前記第１プーリを、前記戻りプーリを経由して、各格納ローラを駆動する前記プーリに連結するケーブルの組とをさらに含み、前記駆動プーリが、前記各中空ガイドの長手方向軸と一致する各回転軸を有する、展開システム。
【請求項９】
格納ローラを駆動する各プーリが、前記対応する格納ローラの前記長手方向軸に対して、および前記マストの前記長手方向ロッドに対して４５°の角度を形成する回転軸を有する、請求項８に記載の展開システム。
【請求項１０】
少なくとも１つの請求項８に記載の展開システムを含む人工衛星。
【発明の詳細な説明】
【技術分野】
【０００１】
本発明は、太陽光発電装置の組を含む展開可能構造物、そのような展開可能構造物を展開するシステム、およびそのようなシステムを含む人工衛星に関する。本発明は、軌道中に展開する必要のある宇宙設備の分野に適用され、詳細には人工衛星に設置された太陽光発電装置に適用される。
【背景技術】
【０００２】
太陽光発電装置型の宇宙に展開可能な構造物は、例えば、相互に関節接合される剛性パネルから一般に構成され、これらのパネルは格納位置において重ねてスタックされる。これらの構造物は、制御された運動力学を有するという利点を有するが、表面積単位当たりの相当の重量および慣性という欠点を示す。さらに、この剛性構造物は、格納位置において、打上げ機のノーズコーンの下で相当な嵩を占める。打上げ機のノーズコーンの下で展開可能構造物に割り当てられる空間は限定的であるため、展開位置でその表面積を最適化するように、これらの展開可能構造物が格納位置にあるとき、それらの嵩を低減することが重要である。
【０００３】
これらの欠点に対処するために、剛性パネルに対する数多くの競争優位性を提供する可撓性太陽光発電装置を製造することが、特に仏国特許第２９９８８７６号明細書から知られる実践である。特に、それらは調整に関して優れた性能を有し、また、展開位置において有用な表面積の増大を提供する。
【０００４】
米国特許第８８９４０１７号明細書は、人工衛星の表面に固定されたマストの端部に関節接合された展開可能な太陽光発電装置の組を記載している。可撓性太陽光発電装置を支持する異なる区画が、端部同士を突き合わせて取り付けられ、相互に関節接合される。しかしながら、格納位置において、可撓性太陽光発電装置を支持する区画は使用できず、マストに取り付けられる剛性太陽光パネルを追加することを必要とし、剛性太陽光パネルは格納位置において、人工衛星に動力を供給できるように人工衛星から外方へ方向付けられる能動型太陽電池を含む。さらに、剛性太陽光パネルを展開位置でも使用できるように剛性太陽光パネルを操縦するための手段を追加することが必要である。さらに、マストおよび太陽光発電装置の展開は連続的に実行され、これは展開可能構造物全体を完全に展開するためにいくつかの異なる制御装置を必要とする。
【先行技術文献】
【特許文献】
【０００５】
【特許文献１】仏国特許第２９９８８７６号明細書
【特許文献２】米国特許第８８９４０１７号明細書
【発明の概要】
【発明が解決しようとする課題】
【０００６】
本発明の目的は、太陽光発電装置の組を含む展開可能構造物と、この展開可能構造物を展開するためのシステムとを製造することであり、この展開可能構造物は既存の展開可能構造物および展開システムの欠点を含まず、嵩がほとんどなく、製造が簡単で、展開シーケンスおよび関連する制御の単純性という有利性を提供し、格納位置において使用可能な太陽電池の領域を有することを可能にし、マストおよび可撓性太陽光発電装置の同時展開を可能にする。
【課題を解決するための手段】
【０００７】
そのため、本発明は、太陽光発電装置の組を含む展開可能構造物に関し、展開可能構造物は、分離マストと、可撓性太陽光発電装置をそれぞれ支持する２つの格納ローラとを含み、２つの格納ローラはマストに関節接合され、マストは、基部と称される第１端部と、基部の反対側の第２端部とを有し、かつ第１端部と第２端部との間に配置された少なくとも１つの長手方向ロッドを含む。マストは、第２端部に取り付けられた２つの横方向アームをさらに含み、２つの横方向アームは、長手方向ロッドに関して対称である２つの反対の方向に斜めに傾けられ、各横方向アームは、中空ガイドが設けられた端部を含む。各格納ローラは、対応する横方向アームの中空ガイドの内側でそれぞれ関節接合される枢軸を形成する曲げ端部を含む長手方向軸を有し、各格納ローラの枢軸は、対応する格納ローラの長手方向軸と異なる回転軸を有する。
【０００８】
有利には、マストの２つの横方向アームは、長手方向ロッドに固定され得る。
【０００９】
代替的に、ロッドは、それぞれ第１ロッドおよび第２ロッドと称される２つの別個の長手方向部分を含み、第２ロッドは第１ロッドと平行であり、かつマストの第２端部に配置された回転軸上で関節接合され、回転軸は第１ロッドおよび第２ロッドに対して直角であり、２つの横方向アームは第２ロッドに固定される。
【００１０】
有利には、各可撓性太陽光発電装置は、各固定剛性定着点に確実に取り付けられた終端部を含み、展開可能構造物は、剛性定着点に固定された少なくとも１つの剛性フラップをさらに含むことができ、可撓性太陽光発電装置の延長部分において、太陽電池を含む剛性フラップは永久的に太陽の方に向けられる。
【００１１】
代替的に、格納位置において、各可撓性太陽光発電装置は、格納ローラに部分的に巻き付けられることができ、および太陽の方に永久的に向けられた太陽電池が設けられた端部部分を含むことができる。
【００１２】
有利には、マストの各横方向アームの中空ガイドは、マストに対して、および格納ローラの各長手方向軸に対して４５°で方向付けられることができる。
【００１３】
本発明はまた、展開可能構造物を含む展開システムに関し、展開システムは、マストの基部に取り付けられた回転子を含む単一モータであって、回転子はマストの長手方向ロッドに対して直角の回転軸を有する、単一モータと、マストの基部に配置され、かつ回転子の回転軸と整列された回転軸を有する第１プーリと、各格納ローラの曲げ端部にそれぞれ固定されている、格納ローラを回転するように駆動する２つのプーリと、マストの横方向アームに固定された戻りプーリと、第１プーリを、戻りプーリを経由して、各格納ローラを駆動するプーリに連結するケーブルの組とをさらに含み、駆動プーリは、各中空ガイドの長手方向軸と一致する各回転軸を有する。
【００１４】
有利には、格納ローラを駆動する各プーリは、対応する格納ローラの長手方向軸に対して、およびマストの長手方向軸に対して４５°の角度を形成する回転軸を有することができる。
【００１５】
本発明は最後に、そのような展開システムを含む人工衛星に関する。
【００１６】
本発明の他の特定の特徴および有利性は、これ以降、添付される概略的な図面を参照して、単なる説明および非限定的な例として提供される説明の中で明確に分かるようになる。
【図面の簡単な説明】
【００１７】
【図１】本発明による、各可撓性太陽光発電装置がその上に巻き付けられる２つの格納ローラを含む例示的な展開可能構造物および関連する展開システムの格納位置の正面からの図である。
【図２】本発明による、可撓性太陽光発電装置がその上に巻き付けられる１つの格納ローラを含む例示的な展開可能構造物および関連する展開システムの格納位置の斜視図である。
【図３ａ】本発明による、ロック解除後の図２の展開可能構造物を示す斜視図である。
【図３ｂ】本発明による、展開の開始時の図１および２の展開構造物を示す斜視図である。
【図３ｃ】本発明による、展開中の図１および２の展開構造物を示す斜視図である。
【図３ｄ】本発明による、展開後の図１および２の展開構造物を示す斜視図である。
【図４ａ】本発明のある実施形態による、各可撓性太陽光発電装置が提供された２つの格納ローラを含む展開構造物の格納位置の横方向断面図であり、各太陽光発電装置は可撓性支持体の延長部分に剛性フラップをさらに含む。
【図４ｂ】本発明による、図４ａによる展開可能構造物の展開の方向を示す横方向断面図である。
【図５ａ】本発明による、各可撓性太陽光発電装置が提供された２つの格納ローラであって、格納位置において可撓性太陽光発電装置が部分的に巻き付けられる２つの格納ローラを含む、展開可能構造物の変形実施形態の格納位置の２つの斜視図である。
【図５ｂ】本発明による、図５ａによる展開可能構造物の格納位置の横方向断面図である。
【図５ｃ】本発明による、図５ａによる展開可能構造物の展開の方向を示す横方向断面図である。
【図６ａ】本発明による図５ａの展開可能構造物の展開の斜視的な３つの連続的なシーケンスである。
【図６ｂ】本発明による図５ａの展開可能構造物の展開の斜視的な３つの連続的なシーケンスである。
【図６ｃ】本発明による図５ａの展開可能構造物の展開の斜視的な３つの連続的なシーケンスである。
【図７】本発明による、ロケットのノーズコーンの下の、格納位置にある可撓性太陽光発電装置を含む例示的な人工衛星の断面図である。
【発明を実施するための形態】
【００１８】
図１に格納位置で示される展開可能構造物は、分離マスト１０と、可撓性太陽光発電装置がその上に巻き付けられる２つの格納ローラ１１、１２とを含み、２つの格納ローラは、例えば円筒形であり、それぞれ可撓性太陽光発電装置を支持し、およびそれぞれマストに関節接合される別個の枢軸１３、１４を含む。格納位置において、２つの格納ローラ１１、１２はマスト１０と平行であり、可撓性太陽光発電装置は２つの格納ローラの周囲に巻き付けられる。マストは、基部と称されるマストの第１端部１０２と、基部と反対側の第２端部との間に配置される長手方向ロッド１０１、およびマストの第２端部に配置される２つの横方向アーム１０３、１０４を含む。２つの横方向アーム１０３、１０４は、長手方向ロッド１０１に関して対称である２つの反対の方向において斜めに傾けられる。２つの横方向アーム１０３、１０４は、ロッド１０１に固定することができる。また、２つの横方向アームは金属または複合材料の単一ピース付属品から構成することができる。
【００１９】
各横方向アーム１０３、１０４は、円筒状中空ガイド１０５、１０６が設けられた端部を含み、円筒状中空ガイドの長手方向軸５５、５６はマスト１０の長手方向ロッド１０１に対して斜めに傾けられている。各格納ローラ１１、１２は長手方向軸を有し、長手方向軸は、対応する中空ガイド１０５、１０６の内側で関節接合される枢軸１３、１４を形成する曲げ端部を含む。各格納ローラの枢軸１３、１４は、対応する格納ローラ１１、１２の長手方向軸５４、５７と異なる回転軸５５、５６を有する。各格納ローラ１１、１２の枢軸１３、１４と、対応する中空ガイド１０５、１０６との間の関節接合は、枢軸が回転軸周りで回転することを可能にする。
【００２０】
図３ｃおよび３ｄに特に示されるように、マストの各横方向アーム１０３、１０４の各中空ガイド１０５、１０６、および各格納ローラの枢軸１３、１４の回転軸は、好ましくは、マストの長手方向ロッドに対して、および格納ローラの各長手方向軸に対して４５°の角度αを形成する方向に方向付けることができ、それにより、構造物の展開および展開位置での格納ローラの良好な位置付けに必要なシーケンスの数が最小化される。特に、これにより、展開位置において、図３ｃに示されるようにマストのロッドに対して直角に格納ローラの長手方向軸の向きを得ることが、従って、図３ｄに示されるようにマストのロッドと平行な方向の太陽光発電装置の展開を許容することが可能になる。当然のことながら、マスト１０の長手方向ロッド１０１に対して、および格納ローラ１１、１２の各長手方向軸に対して４５°以外の値の角度を形成する方向に中空ガイドの向きを選択することも可能である。図２および３ａにおいて、これらの図を単純化するために１つの格納ローラが示されているが、明らかに、この展開運動力学は、図３ｂ、３ｃ、３ｄのそれぞれに示されているような中心マスト１０に関して対称に位置付けられた２つのローラに対して有効であり、図３ｂ、３ｃ、３ｄには、１つの格納ローラおよび２つの格納ローラをそれぞれ含む展開可能構造物の展開運動力学の２つの例が示されている。
【００２１】
展開可能構造物を展開するためのシステムは、人工衛星のボディ４１の表面４０に固定されるように作られた固定子と、マストの基部１０２に直接取り付けられる回転子とを備えた調整モータ型の単一モータ２０を含み、回転子はマストのロッド１０１に対して直角な回転軸５０を有する。モータ２０の回転子は、回転軸５０の周りでマスト１０を回転するように駆動しそれを展開するように作られている。展開システムはまた、マストの基部に取り付けられかつ人工衛星のボディ４１の表面４０に固定されるように作られた第１プーリ２１と、各格納ローラの曲げ端部に固定されている、格納ローラを回転するように駆動する２つのプーリ２２、２３と、マストの横方向アームに固定された戻りプーリ２４、２５と、戻りプーリ２４、２５を経由して第１プーリ２１をプーリ２２、２３に連結して格納ローラを駆動するケーブル２６の組とを含む。第１プーリ２１は、モータ２０の回転子の回転軸５０と整列された回転軸を有する。駆動プーリ２２、２３は、各中空ガイド１０５、１０６の軸と一致する回転軸を有し、それらの機能はマストが展開する間に格納ローラを展開することであり、従ってマスト１０の展開と格納ローラ１１、１２の展開とは同時に実行される。戻りプーリ２４、２５は、例えば長手方向ロッドと、各横方向アームとの間の接続地点でマストに固定され、それらの回転軸は、マストに対して直角な方向に方向付けられる。第１プーリ２１はケーブルを経由して戻りプーリ２４、２５に、次いで駆動プーリ２２、２３に噛み合わされる。駆動プーリは格納ローラの曲げ端部に直接固定され、それらの回転軸はそれぞれ中空ガイドの長手方向軸と同じ方向に方向付けられ、従ってマストの長手方向ロッドに対して斜めに傾けられる。例えば、マストの各横方向アームの各中空ガイドの長手方向軸がマストの長手方向ロッドに対して、および格納ローラの各回転軸に対して４５°の角度を形成するとき、各駆動プーリの回転軸も同じく、対応する格納ローラの回転軸に対して、およびマストの長手方向ロッドに対して４５°に等しい角度を形成する。
【００２２】
１つの戻りプーリを様々な図面で見ることができるが、展開される格納ローラごとに、マスト上で正反対にある２つの戻りプーリが、固定プーリを起点にして第１戻りプーリを経由して駆動プーリに至り、次いで駆動プーリから第２戻りプーリを経由して固定プーリへ戻る閉鎖されたケーブル経路を有するために必要であり、図３ｂ、３ｃ、３ｄにおいて、ケーブル経路は展開可能構造物の可視面において実線によって示され、隠された反対面において点線で示されている。格納ローラごとに、往復して完全な経路を形成するために、１本のケーブルまたは２本の異なるケーブルを使用することが可能である。２つの異なるケーブル経路が、２つの格納ローラ１１、１２を展開するために必要であり、第１プーリ２１は、それぞれ２つの格納ローラの専用である２つのケーブル経路に同時に接続される。
【００２３】
各格納ローラ１１、１２は、格納位置において各格納ローラの周囲に巻き付けられる可撓性太陽光発電装置３０を支持する。各可撓性太陽光発電装置は一般に可撓性支持体を含み、その上に太陽電池が取り付けられる。各可撓性太陽光発電装置の可撓性支持体は、前記格納ローラの周囲に巻き付けることができる第１端部と、固定された剛性定着点３３に確実に取り付けられる終端第２端部とを含む。有利には、図３ｂ、３ｃ、３ｄならびに図４ａおよび４ｂに対応する第１実施形態によれば、剛性定着点３３は人工衛星のボディ４１の表面４０の正反対に配置可能であり、展開可能構造物は剛性定着点３３に固定された剛性フラップ３１をさらに含むことができ、可撓性太陽光発電装置３０の延長部分において、剛性フラップに太陽電池が取り付けられる。この場合に、格納位置において、可撓性基体は、格納ローラの周囲に完全に巻き付けられるが、剛性フラップは永久に展開されたままである。図４ａに示されるように、剛性フラップ３１は、人工衛星のボディ４１の表面４０の方に向けられた後面と、人工衛星の外側の方に永久的に向けられる前面とを含み、剛性フラップ３１の前面は太陽電池３２が取り付けられ、展開可能構造物の格納段階および展開段階の全ての間、永久的に太陽の方に向けられる。図４ｂは、展開可能構造物が対応する可撓性太陽光発電装置の延長部分に固定される剛性フラップ３１をさらに含むときの可撓性太陽光発電装置３０の展開方向を点線によって示す。
【００２４】
本発明の様々な実施形態によれば、図５ａに示されるように、マスト１０の長手方向ロッドは、２つの別個の部分２０１、２０２を含むことができる。２つの別個の部分は、マストの２つの端部間に固定された第１長手方向ロッド２０１と、マストの第２端部に配置された回転軸５１上に関節接合される第２長手方向ロッド２０２とから構成される。第２ロッドは第１ロッドと平行であり、回転軸５１はマストの第１ロッドおよび第２ロッドに対して直角である。マストに対して斜めに傾けられかつ対称に配置された２つの横方向アーム１０３、１０４は、第２ロッド２０２に固定される。本発明のこの変形実施形態において、太陽光発電装置は剛性フラップを含まないが、太陽光発電装置の組は展開可能構造物の格納段階および展開段階を通してエネルギーを供給することができ、剛性定着点３３は図５ｂに示されるように人工衛星のボディ４１の表面４０と向き合うように配置可能であり、各可撓性太陽光発電装置３０は格納位置において格納ローラ１１、１２の周囲に部分的に巻き付けることができ、および端部部分３５を有することができ、端部部分３５は、部分的に巻き出され、太陽の方に永久的に向けられた太陽電池が設けられる。
【００２５】
図５Ｃは、太陽光発電装置が剛性フラップを有さない本発明のこの変形実施形態による可撓性太陽光発電装置の展開方向を点線で示す。部分的に巻き出された端部部分３５、またはそれぞれ、剛性フラップ３１は、人工衛星が軌道中に配置される弾道段階の間に人工衛星に必要なエネルギーを供給することを可能にし、およびまた可撓性太陽光発電装置と一緒に、人工衛星の軌道段階の間、人工衛星に電気エネルギーを供給することに寄与する。
【００２６】
展開システムは、マストの基部１０２に取り付けられた単一モータ２０を使用することによってマスト１０のおよび２つのローラ１１、１２の同時展開を可能にする。長手方向ロッド１０１を１つのみ含むマストに単一ローラが取り付けられる単純化された事例に関連する異なる連続的展開シーケンスが、図３ａ、３ｂ、３ｃ、３ｄに示されている。２つの格納ローラがマストに取り付けられるとき、２つのローラは、同時におよびマストに対して対称に展開される。格納位置において、図２に示されるように、太陽光発電装置が巻き付けられる格納ローラ１１、１２は、それらの各長手軸がマストのロッドと平行になるように配置され、格納位置において、人工衛星の表面に固定されたスタッキング用脚部５８にロックされる。外側に方向付けられた太陽電池３２を設けられた剛性太陽光パネル３１も同じく、人工衛星の表面４０に固定された専用のスタッキング用脚部５９にロックされる。
【００２７】
展開可能構造物の展開の起動は、太陽光パネル３１の、次いで図３ｂに示されるようにローラ１１、１２のロック解除によって、次いでマストの基部に配置されたモータ２０の回転子の作動によって、開始される。モータ２０の回転子は回転軸５０の周りを回転するように作動されると、マスト１０を回転するように駆動し、これによりケーブル２６が第１プーリ２１の周囲に巻き付けられる。ケーブルの巻き付きによって戻りプーリ２５にテンションが生じ、戻りプーリ２５は回転し始め、このテンションを、駆動プーリ２３に伝達し、駆動プーリ２３が同じく回転し始める。駆動プーリの回転軸が格納ローラ１１、１２の枢軸１３、１４を形成する曲げ端部に固定されるため、次いで駆動プーリの回転により、格納ローラの回転が起動され、格納ローラは展開される。このようにしてモータ２０の回転子によるマストの駆動は、プーリを経由して、ローラ１１、１２の同時展開を引き起こす。格納位置から展開位置へ切り換わるために、マスト１０はモータ２０の回転子の回転軸５０の周りで９０°回転する。マストのこの回転の間、正確に方向付けられるために、各格納ローラ１１、１２は、４５°で方向付けられた枢軸１３、１４の軸５５、５６の周りで１８０°回転しなければならず、駆動プーリは従って１８０°回転しなければならない。そのため、各駆動プーリ２２、２３は、マストの基部に配置された第１プーリ２１の巻き付け直径より２倍小さい巻き付け直径を有する必要がある。マストおよびローラが展開位置にあるとき、マストおよびローラはこの位置でロックされ、可撓性発電装置の展開は達成される。各太陽光発電装置の展開は、例えば可撓性太陽光発電装置を支持する可撓性ファブリックに固定された１つまたは複数のテープ手段を用いて、周知の通り、独立して達成可能である。
【００２８】
図６ａ、６ｂ、６ｃは、変形実施形態における異なる展開シーケンスを示し、ここでは２つの格納ローラ１１、１２はマスト１０に取り付けられ、およびマストは２つの長手方向ロッド２０１、２０２を含む。格納位置において、マストの第２ロッド２０２は、２つの格納ローラが関節接合された２つの横方向アーム１０３、１０４が取り付けられ、第１ロッド２０１に折り戻され、横方向アームはマストの基部１０２に向かって方向付けられる。マストの２つのロッド２０１、２０２のおよび格納ローラ１１、１２の展開を確実にするために、往復ケーブルが、人工衛星のボディに対して固定されたマストの基部に配置された第１プーリ２１に、および第２長手方向ロッドに取り付けられた第２プーリ６１に取り付けられる。さらに、往復ケーブルはローラの駆動プーリ２２、２３に、および横方向アームにおよびマストの第１ロッドに取り付けられた戻りプーリ２４、２５、６３に取り付けられる。展開の原理は図３ａ、３ｂ、３ｃ、３ｄに関連して説明したものと同様である。マストの基部１０２に配置されたモータ２０の作動はマストの第１ロッドを回転するように駆動し、それにより、ケーブルのおよびプーリのシステムを介した、マストの第２長手方向ロッドを含む全ての展開構造物の同期された展開が引き起こされる。
【００２９】
図７に示されるように、２つの各ローラ１１、１２の周りに巻き付けられた２つの太陽光発電装置を含む、本発明による少なくとも１つの展開可能構造物を装備した人工衛星は、狭いロケットのノーズコーン５の中に形成可能である。人工衛星のボディ４１の平衡を保つため、本発明による２つの展開可能構造物７０、７１を、人工衛星のボディの２つの反対表面４０、７２に形成することも可能である。当然のことながら、展開可能構造物は、専用の展開システムにそれぞれ関連付けられる。
【００３０】
特定の実施形態に関連して本発明を説明してきたが、本発明はそれらに限定されないこと、および本発明は記載した手段の全ての技術的均等物およびそれらの組合せを、それらが本発明の範囲内にあるという条件で含むことは明白である。特に、様々な戻りプーリの数および配置は、特定的に記載した例に限定されない。
【符号の説明】
【００３１】
５  ノーズコーン
１０  分離マスト
１１  格納ローラ
１２  格納ローラ
１３  枢軸
１４  枢軸
２０  単一モータ
２１  第１プーリ
２２  駆動プーリ
２３  駆動プーリ
２４  戻りプーリ
２５  戻りプーリ
２６  ケーブル
３０  太陽光発電装置
３１  剛性フラップ
３２  太陽電池
３３  剛性定着点
３５  端部部分
４０  表面
４１  ボディ
５０  回転軸
５１  回転軸
５４  長手方向軸
５５  回転軸
５６  回転軸
５７  長手方向軸
５８  スタッキング用脚部
５９  スタッキング用脚部
６１  第２プーリ
６３  戻りプーリ
７０  展開可能構造物
７１  展開可能構造物
７２  表面
１０１  長手方向ロッド
１０２  第１端部
１０３  横方向アーム
１０４  横方向アーム
１０５  中空ガイド
１０６  中空ガイド
２０１  第１長手方向ロッド
２０２  第２長手方向ロッド
【図１】
2017100714.tif 000003
【図２】
2017100714.tif 000004
【図３ａ】
2017100714.tif 000005
【図３ｂ】
2017100714.tif 000006
【図３ｃ】
2017100714.tif 000007
【図３ｄ】
2017100714.tif 000008
【図４ａ】
2017100714.tif 000009
【図４ｂ】
2017100714.tif 000010
【図５ａ】
2017100714.tif 000011
【図５ｂ】
2017100714.tif 000012
【図５ｃ】
2017100714.tif 000013
【図６ａ】
2017100714.tif 000014
【図６ｂ】
2017100714.tif 000015
【図６ｃ】
2017100714.tif 000016
【図７】
2017100714.tif 000017
【外国語明細書】
2017100714000001.pdf